(57)【要約】【課題】  ブック原稿やステープルされたシート束等から画像読み取りしたときに領域識別処理する場合、領域識別対象領域が歪み補正対象の領域と重なっているようなときだけ、歪み補正を行うようにした画像処理装置を提供する。【解決手段】  この画像処理装置は、原稿画像を読み取る画像読取手段により読み取られた画像情報から領域識別手段３０で文字や図・写真などの領域を識別し、この識別された領域情報を用いて歪み領域検出手段４０で歪み領域を検出する。この歪み領域検出手段４０で検出された歪み領域に文字や図・写真などの領域が含まれる場合に、歪み補正手段５０で画像情報の歪みを補正し、歪みの除去された画像を対象に再度領域識別処理を行って、文字・写真・図などの領域を抽出する。【選択図】        図１
2005167374.tif 000002
【特許請求の範囲】
【請求項１】
原稿画像を読み取る画像読取手段により読み取られた画像情報のページ綴じ部の歪みを補正して、歪みのない画像情報を得る画像処理装置において、前記画像情報の文字や図・写真の領域を識別する領域識別手段と、前記領域識別手段により識別された領域情報を用いて歪み領域を検出する歪み領域検出手段と、前記歪み領域検出手段で検出された歪み領域に文字や図・写真の領域が含まれる場合、前記画像情報の歪みを補正する歪み補正手段とを備え、歪みの除去された画像を対象に再度領域識別処理を行って、文字・写真・図の領域を抽出するようにしたことを特徴とする画像処理装置。
【請求項２】
原稿画像を読み取る画像読取手段により読み取られた画像情報の歪みを補正して、歪みのない画像情報を得る画像処理装置において、前記画像情報の文字や図・写真の領域を識別する領域識別手段と、前記領域識別手段により識別された領域情報を用いて歪み領域を検出する歪み領域検出手段と、前記歪み領域検出手段で検出された歪み領域に文字や図・写真の領域が含まれ、且つ該歪み領域にステープルがあるか否かを検出するステープル検出手段と、前記ステープル検出手段でステープルの存在が検出され場合、該ステープルを除去するステープル除去手段とを備え、ステープル除去を行ってから、再度読み取られた原稿画像に対して領域識別処理を行って、文字・写真・図の領域を抽出するようにしたことを特徴とする画像処理装置。
【請求項３】
原稿画像を読み取る画像読取手段により読み取られた画像情報の歪みを補正して、歪みのない画像情報を得る画像処理装置において、前記画像情報の文字や図・写真の領域を識別する領域識別手段と、前記領域識別手段により識別され領域情報を用いて歪み領域を検出する歪み領域検出手段と、前記歪み領域検出手段で検出された歪み領域に文字や図・写真の領域が含まれ、且つ該歪み領域にステープルがあるか否かを検出するステープル検出手段と、前記ステープル検出手段でステープルの存在が検出され場合、該ステープルを除去するステープル除去手段と、前記ステープル検出手段でステープルが存在しない場合、前記画像情報の歪みを補正する歪み補正手段とを備え、ステープルが存在した場合には、ステープル除去を行って、再度読み取られた原稿画像に対して領域識別処理を行い、ステープルが存在しない場合には、歪み補正処理を行って、歪みの除去された画像を対象に再度領域識別処理を行って、文字・写真・図の領域を抽出するようにしたことを特徴とする画像処理装置。
【請求項４】
原稿画像を読み取る画像読取手段により読み取られた画像情報のページ綴じ部の歪みを補正して、歪みのない画像情報を得る画像処理方法において、前記画像情報の文字や図・写真の領域を識別する領域識別工程と、前記領域識別工程により識別された領域情報を用いて歪み領域を検出する歪み領域検出工程と、前記歪み領域検出工程で検出された歪み領域に文字や図・写真の領域が含まれる場合、前記画像情報の歪みを補正する歪み補正工程とを備え、歪みの除去された画像を対象に再度領域識別処理を行って、文字・写真・図の領域を抽出するようにしたことを特徴とする画像処理方法。
【請求項５】
原稿画像を読み取る画像読取手段により読み取られた画像情報の歪みを補正して、歪みのない画像情報を得る画像処理方法において、前記画像情報の文字や図・写真の領域を識別する領域識別工程と、前記領域識別工程により識別された領域情報を用いて歪み領域を検出する歪み領域検出工程と、前記歪み領域検出工程で検出された歪み領域に文字や図・写真の領域が含まれ、且つ該歪み領域にステープルがあるか否かを検出するステープル検出工程とを備え、前記ステープル検出工程でステープルの存在が検出され場合、ステープル除去を行ってから、再度読み取られた原稿画像に対して領域識別処理を行って、文字・写真・図の領域を抽出するようにしたことを特徴とする画像処理方法。
【請求項６】
原稿画像を読み取る画像読取手段により読み取られた画像情報の歪みを補正して、歪みのない画像情報を得る画像処理方法において、前記画像情報の文字や図・写真の領域を識別する領域識別工程と、前記領域識別工程により識別され領域情報を用いて歪み領域を検出する歪み領域検出工程と、前記歪み領域検出工程で検出された歪み領域に文字や図・写真の領域が含まれ、且つ該歪み領域にステープルがあるか否かを検出するステープル検出工程と、前記ステープル検出工程でステープルが存在しない場合、前記画像情報の歪みを補正する歪み補正工程とを備え、前記ステープル検出工程でステープルの存在が検出され場合には、ステープル除去を行って、再度読み取られた原稿画像に対して領域識別処理を行い、ステープルが存在しない場合には、歪み補正処理を行って、歪みの除去された画像を対象に再度領域識別処理を行って、文字・写真・図の領域を抽出するようにしたことを特徴とする画像処理方法。
【請求項７】
コンピュータに、請求項１乃至３のいずれかに記載の画像処理装置の機能を実行させるためのプログラム。
【請求項８】
請求項７に記載のプログラムを記録したコンピュータ読み取り可能な記録媒体。
【発明の詳細な説明】
【技術分野】
【０００１】
本発明は、画像処理装置、画像処理方法、プログラムおよび記録媒体に関し、特に原稿が本やステープルで止められたシート束の場合に、読み取った画像の歪みを補正するときの処理に関する。
【背景技術】
【０００２】
スキャナを用いて読み取る原稿の多くはシート状の原稿であり、コンタクトガラス上に開閉自在の圧板を設け、コンタクトガラス上に原稿を載置した後に圧板を閉じて原稿を読み取るようにしている。
しかし、原稿としてはシート状のものに限られず、ブック原稿（本、冊子、ステープルされたシート束など）も原稿として扱われることがあり、そのような場合にもコンタクトガラス上にブック原稿を載置し、原稿を読み取ることになる。
ところが、原稿としてブック原稿を用いた場合には、図７に示すように、ブック原稿１００のページ綴じ部１０１がコンタクトガラス１０２から浮き上がってしまうことから、この浮き上がった綴じ部の読み取り画像は、歪みや影が生じて文字や罫線がボケてしまう問題があった。
このように原稿としてブック原稿を用いた場合における読み取り画像の歪みを補正するための技術は、例えば、特許文献１等に開示されている。
特許文献１に開示されている技術によれば、読み取った画像を二値化し、この二値化画像から文字の外接矩形を抽出し、抽出された文字外接矩形の形状の変化と読み取り画像の地肌濃度の変化とを利用して読み取り画像の歪み量を推定し、推定された歪み量に基づき、読み取り画像もしくは二値化画像に対して拡大処理を施している。
これにより、ブック原稿のページ綴じ部とスキャンの主走査方向とが垂直な場合であっても、文字外接矩形の形状には変化が現われることから、ブック原稿の読み取り画像の補正が可能になる。
【０００３】
しかし、上述のようなブック原稿などの綴じ部の歪みを補正する方法は、処理に時間が要したり、補正に失敗する場合がある。
また、綴じ部に歪みや影が生じると、文書画像中から文字や図・写真・表などの領域を抽出する領域識別の方法（例えば、特許文献２参照）では、文字領域などの抽出精度が悪化するという問題があった。
また、ステープル（止め具）で止められたシート束を読み取った場合には、このステープル（止め具）付近の画像が歪んだり、ステープル（止め具）で文書中の文字や図・写真・表などが隠されてしまうという問題がある。
このようなシート束からステープル（止め具）を除去するための技術は、例えば、特許文献３等に開示されている。
特許文献３に開示されている技術によれば、シート載置台に置いたステープルされたシート束を給送すると供に、このシート束上のステープルを検出して、検出されたステープルがステープル除去位置に停止するようにシート束を移動させ、移動してきたシート束上のステープルをシート束上から除去するようにした。
これによりステープルされたシート束からステープルを自動的に除去できるので、人手を必要とすることなくステープルを除去できる。
しかし、このステープルの除去方法も、その処理に時間を要したり、ステープルを除去するために原稿が傷ついたりするという問題がある。
【特許文献１】特開２００２−２４７３４８公報
【特許文献２】特許第２９４０９３６号
【特許文献３】特許第３２３６３７６号
【発明の開示】
【発明が解決しようとする課題】
【０００４】
本発明は、上述した実情を考慮してなされたもので、ブック原稿やステープルされたシート束等から読み取った画像の文字や図・写真などの領域を抽出する場合に、読み取り画像における領域識別対象領域がページ綴じ部にあったり、また、その領域識別対象領域がステープルによって歪んだ画像となっている場合にだけ、歪み補正やステープルの除去を行うように制御する画像処理装置、画像処理方法、画像処理装置の機能を実行するためのプログラムおよびそのプログラムを記録したコンピュータ読み取り可能な記録媒体を提供することを目的とする。
【課題を解決するための手段】
【０００５】
上記の課題を解決するために、請求項１の発明の画像処理装置は、原稿画像を読み取る画像読取手段により読み取られた画像情報のページ綴じ部の歪みを補正して、歪みのない画像情報を得る画像処理装置において、前記画像情報の文字や図・写真の領域を識別する領域識別手段と、前記領域識別手段により識別された領域情報を用いて歪み領域を検出する歪み領域検出手段と、前記歪み領域検出手段で検出された歪み領域に文字や図・写真の領域が含まれる場合、前記画像情報の歪みを補正する歪み補正手段とを備え、歪みの除去された画像を対象に再度領域識別処理を行って、文字・写真・図の領域を抽出するようにしたことを特徴とする。
また、請求項２の発明の画像処理装置は、原稿画像を読み取る画像読取手段により読み取られた画像情報の歪みを補正して、歪みのない画像情報を得る画像処理装置において、前記画像情報の文字や図・写真の領域を識別する領域識別手段と、前記領域識別手段により識別された領域情報を用いて歪み領域を検出する歪み領域検出手段と、前記歪み領域検出手段で検出された歪み領域に文字や図・写真の領域が含まれ、且つ該歪み領域にステープルがあるか否かを検出するステープル検出手段と、前記ステープル検出手段でステープルの存在が検出され場合、該ステープルを除去するステープル除去手段とを備え、ステープル除去を行ってから、再度読み取られた原稿画像に対して領域識別処理を行って、文字・写真・図の領域を抽出するようにしたことを特徴とする。
【０００６】
また、請求項３の発明の画像処理装置は、原稿画像を読み取る画像読取手段により読み取られた画像情報の歪みを補正して、歪みのない画像情報を得る画像処理装置において、前記画像情報の文字や図・写真の領域を識別する領域識別手段と、前記領域識別手段により識別され領域情報を用いて歪み領域を検出する歪み領域検出手段と、前記歪み領域検出手段で検出された歪み領域に文字や図・写真の領域が含まれ、且つ該歪み領域にステープルがあるか否かを検出するステープル検出手段と、前記ステープル検出手段でステープルの存在が検出され場合、該ステープルを除去するステープル除去手段と、前記ステープル検出手段でステープルが存在しない場合、前記画像情報の歪みを補正する歪み補正手段とを備え、ステープルが存在した場合には、ステープル除去を行って、再度読み取られた原稿画像に対して領域識別処理を行い、ステープルが存在しない場合には、歪み補正処理を行って、歪みの除去された画像を対象に再度領域識別処理を行って、文字・写真・図の領域を抽出するようにしたことを特徴とする。
また、請求項４の発明の画像処理方法は、原稿画像を読み取る画像読取手段により読み取られた画像情報のページ綴じ部の歪みを補正して、歪みのない画像情報を得る画像処理方法において、前記画像情報の文字や図・写真の領域を識別する領域識別工程と、前記領域識別工程により識別された領域情報を用いて歪み領域を検出する歪み領域検出工程と、前記歪み領域検出工程で検出された歪み領域に文字や図・写真の領域が含まれる場合、前記画像情報の歪みを補正する歪み補正工程とを備え、歪みの除去された画像を対象に再度領域識別処理を行って、文字・写真・図の領域を抽出するようにしたことを特徴とする。
【０００７】
また、請求項５の発明の画像処理方法は、原稿画像を読み取る画像読取手段により読み取られた画像情報の歪みを補正して、歪みのない画像情報を得る画像処理方法において、前記画像情報の文字や図・写真の領域を識別する領域識別工程と、前記領域識別工程により識別された領域情報を用いて歪み領域を検出する歪み領域検出工程と、前記歪み領域検出工程で検出された歪み領域に文字や図・写真の領域が含まれ、且つ該歪み領域にステープルがあるか否かを検出するステープル検出工程とを備え、前記ステープル検出工程でステープルの存在が検出され場合、ステープル除去を行ってから、再度読み取られた原稿画像に対して領域識別処理を行って、文字・写真・図の領域を抽出するようにしたことを特徴とする。
また、請求項６の発明の画像処理方法は、原稿画像を読み取る画像読取手段により読み取られた画像情報の歪みを補正して、歪みのない画像情報を得る画像処理方法において、前記画像情報の文字や図・写真の領域を識別する領域識別工程と、前記領域識別工程により識別され領域情報を用いて歪み領域を検出する歪み領域検出工程と、前記歪み領域検出工程で検出された歪み領域に文字や図・写真の領域が含まれ、且つ該歪み領域にステープルがあるか否かを検出するステープル検出工程と、前記ステープル検出工程でステープルが存在しない場合、前記画像情報の歪みを補正する歪み補正工程とを備え、前記ステープル検出工程でステープルの存在が検出され場合には、ステープル除去を行って、再度読み取られた原稿画像に対して領域識別処理を行い、ステープルが存在しない場合には、歪み補正処理を行って、歪みの除去された画像を対象に再度領域識別処理を行って、文字・写真・図の領域を抽出するようにしたことを特徴とする。
また、請求項７の発明のプログラムは、コンピュータに、請求項１乃至３のいずれかに記載の画像処理装置の機能を実行させるためのプログラムである。
また、請求項８の発明の記録媒体は、請求項７に記載のプログラムを記録したコンピュータ読み取り可能な記録媒体である。
【発明の効果】
【０００８】
本発明によれば、ブック原稿やステープルされたシート束等を読み取り、その読み取った画像の文字や図・写真などの領域を抽出する領域識別処理を行うときに、読み取った画像の歪み領域を検出し、この歪み領域に領域識別処理の対象となる文字や図・写真などの領域が含まれるか否かを判断してから、その後の処理を切り替えるようにしたので、歪み領域が文字や図・写真などの領域を含んでいないときには補正処理やステープルの除去処理を行わないため、画像処理全体の処理速度が向上する。
また、歪み領域内に、領域識別処理の対象となる文字や図・写真などの領域が存在する場合には、歪み補正処理やステープルの除去処理を行った後に、再度、領域識別処理を行うようにし、領域識別の精度を向上させることができる。
【発明を実施するための最良の形態】
【０００９】
以下、図面を参照して、本発明の画像処理装置に係る好適な実施形態を説明する。
＜実施形態１＞
図１は、本実施形態１に係る画像処理装置の機能構成を示すブロック図である。同図において、画像処理装置は、コンタクトガラス上に置かれた本やステープルで綴じられたシート束の原稿を読み取って画像情報を画像情報記憶手段２０へ記憶する画像読取手段１０、読み取られた画像情報の文字や図・写真などの領域を識別する領域識別手段３０、領域識別手段３０により識別された領域情報を用いて歪み領域を検出する歪み領域検出手段４０、歪み領域検出手段４０で検出された歪み領域内に文字や図・写真などの領域が重なっていれば、画像情報記憶手段２０へ記憶された画像情報の歪みを補正して更新する歪み補正手段５０とから構成される。
また、画像読取手段１０で原稿から画像情報を得るのではなく、予め画像情報を画像情報記憶手段２０へ用意しておいてもよい。
領域識別手段３０は、画像情報記憶手段２０に記憶された原稿画像から文字を構成する外接矩形を切り出し、その並びや大きさなどの情報を利用することにより、文字や図・写真などの領域識別を行って、領域の位置、範囲と領域の種別を記憶する。領域識別の方法としては、公知の技術、例えば、特許第２９４０９３６号や特開平７−３２２０６１号公報等に記載の方法を用いる。
【００１０】
歪み領域検出手段４０は、本やステープルによって綴じられた原稿であるために図２（Ａ）ようにページ綴じ部の周辺部で歪んでいる場合や、ステープルの近傍の画像が歪んでいる場合に、そのために生じている歪みの位置と範囲を公知の技術、例えば、特開２００２−２４７３４８公報等に記載の方法で検出する。
このために、領域識別手段３０で識別した領域のうち文字を含む領域に対して、例えば、原稿画像情報から文字を構成する外接矩形を切り出す（図３参照）。
ここで、外接矩形が極端に小さいものや大きいものを排除して、（外接矩形の横辺の長さ）／（外接矩形の縦辺の長さ）を各文字の外接矩形について計算し、各行ごとに平均値を計算して、各行の特徴量とする。
この各行の特徴量が所定の閾値より大きくなるところを境界とし、所定の閾値より大きい部分を歪み領域と判定する（図２（Ａ）参照）。
次に、図２の（Ｂ）のように、歪み領域検出手段４０で求めた歪み領域と領域識別手段３０で得た領域との重なりを調べ、重なりが存在しない場合には、先に領域識別手段３０で得た識別結果をそのまま利用する。
しかし、図２の（Ｃ）のように、歪み領域と領域識別手段３０で得た領域とが重なる場合には、歪み補正手段５０により画像情報記憶手段２０に記憶されている画像情報の歪みを補正して、画像情報記憶手段２０の画像情報を更新し、この補正された画像情報に対して再度領域識別処理を行う。
この歪み補正手段５０は、公知の技術、例えば、特開２００２−２４７３４８号公報等に記載の方法で補正する。
【００１１】
図４は、本実施形態１に係る画像処理装置の処理の流れを示すフローチャートである。
コンタクトガラス上に置かれたブック原稿を読み取って画像情報を画像情報記憶手段２０へ記憶する（ステップＳ１０）。
画像情報記憶手段２０に記憶された画像情報をもとに、公知の技術、例えば、特許第２９４０９３６号や特開平７−３２２０６１号公報等に記載の方法を用いて、文字や図・写真などの領域の識別を行って、領域の位置、範囲と領域の種別を記憶する（ステップＳ１１）。
画像情報記憶手段２０に記憶された画像情報をもとに、公知の技術、例えば、特開２００２−２４７３４８公報等に記載の方法によって、歪みの位置と範囲を検出し、この歪み領域の範囲内に領域識別手段３０で得た文字や図・写真などの領域との重なりを調べ、重なりが存在しない場合（ステップＳ１２のＮＯ）、先に領域識別手段３０で得た領域識別結果をそのまま利用する。
一方、歪み領域と重なる領域がある場合には（ステップＳ１２のＹＥＳ）、画像情報記憶手段２０に記憶されている画像情報の歪みを、公知の技術、例えば、特開２００２−２４７３４８公報等に記載の方法で補正して更新する（ステップＳ１３）。
この歪み補正された画像情報をもとに、再度文字や図・写真などの領域の識別を行って、領域の位置、範囲と領域の種別を記憶する（ステップＳ１４）。
＜実施形態２＞
【００１２】
実施形態１では、本のような原稿を対象にしていたが、本実施形態２では、ステープルによって綴じられたシート束も対象にし、歪み領域内にステープルが検出された場合には、ステープルを除去してから再度画像読み取って領域識別処理を再実行するようにした。
図５は、本実施形態２に係る画像処理装置の機能構成を示すブロック図である。同図において、画像処理装置は、コンタクトガラス上に置かれた本やステープルで綴じられたシート束の原稿を読み取って画像情報を画像情報記憶手段２０へ記憶する画像読取手段１０、読み取られた画像情報の文字や図・写真などの領域を識別する領域識別手段３０、領域識別手段３０により識別された領域情報を用いて歪み領域を検出する歪み領域検出手段４０、歪み領域検出手段４０で検出された歪み領域に文字や図・写真などの領域が含まれ、且つその歪み領域内にステープルがあるか否かを検出するステープル検出手段６０、ステープル検出手段６０でステープルの存在が検出され場合、該ステープルを除去するステープル除去手段７０、ステープル検出手段６０でステープルが存在しない場合、画像情報記憶手段２０に記憶された画像情報の歪みを補正して更新する歪み補正手段５０とから構成される。
【００１３】
図５において、実施形態１と同じ機能に対しては同じ符号を付し、以下、相違点のみ説明する。
ステープル検出手段６０は、例えば、感圧導電性の部材に原稿を挟み込んでステープルの有無を原稿上の凸部としてその位置を検出し、領域識別手段３０で識別した文字や図・写真などの領域と検出したステープルの位置の両方が、歪み領域検出手段４０で検出された歪み領域に含まれているかを調べる。
尚、ステープルの位置は、公知の技術、例えば、特許第３２３６３７６号等に記載の方法で検出する。
ステープル検出手段６０において、領域識別手段３０で識別した文字や図・写真などの領域と検出したステープルの位置の両方が、歪み領域検出手段４０で検出された歪み領域に含まれている場合には、ステープル除去手段７０によってステープルを除去し、ステープルを除去して歪みのない状態の原稿を再度画像読取手段１０で読み取って、再度領域識別処理を行う。
ステープル除去手段７０は、公知の技術、例えば、特許第３２３６３７６号等に記載の方法で除去する。
このように、ステープルを除去して歪みがない状態で再度領域識別処理を行うので領域識別精度が向上する。
一方、ステープル検出手段６０において、領域識別手段３０で識別した文字や図・写真などの領域が歪み領域検出手段４０で検出された歪み領域に含まれているが、検出したステープルの位置は歪み領域にないときには、歪み補正手段５０によって画像の歪みを補正して画像情報記憶手段２０を更新し、歪みがない状態で再度領域識別処理を行うようにして、領域識別精度を向上させる。
【００１４】
図６は、本実施形態２に係る画像処理装置の処理の流れを示すフローチャートである。
コンタクトガラス上に置かれた本やステープルで綴じられたシート束の原稿を読み取って画像情報を画像情報記憶手段２０へ記憶する（ステップＳ２０）。
画像情報記憶手段２０に記憶された原稿画像をもとに、公知の技術、例えば、特許第２９４０９３６号や特開平７−３２２０６１号公報等に記載の方法を用いて、文字や図・写真などの領域の識別を行って、領域の位置、範囲と領域の種別を記憶する（ステップＳ２１）。
画像情報記憶手段２０に記憶された画像情報をもとに、公知の技術、例えば、特開２００２−２４７３４８公報等に記載の方法によって、歪みの位置と範囲を検出し、この歪み領域の範囲内に領域識別処理で得た領域との重なりを調べ、重なりが存在しない場合（ステップＳ２２のＮＯ）、先に得た領域識別結果をそのまま利用する。
一方、歪み領域と重なる領域がある場合には（ステップＳ２２のＹＥＳ）、ステープルの位置を検出する（ステップＳ２３）。
検出したステープルが歪み領域内にある場合（ステップＳ２４のＹＥＳ）、公知の技術、例えば、特許第３２３６３７６号等に記載の方法でステープルを除去し（ステップＳ２５）、再度原稿を読み取るためにステップＳ２０へ戻る。
他方、検出したステープルが歪み領域内にない場合（ステップＳ２４のＮＯ）、画像情報記憶手段２０に記憶されている画像情報の歪みを、公知の技術、例えば、特開２００２−２４７３４８公報等に記載の方法で補正して更新する（ステップＳ２６）。
この歪み補正された画像情報をもとに、再度文字や図・写真などの領域の識別を行って、領域の位置、範囲と領域の種別を記憶する（ステップＳ２７）。
以上のように構成することによって、読み取った原稿画像の歪み領域に文字領域などが含まれている場合は、得られている領域の歪みを補正するか、ステープルを除去し、歪みを生じさせない状態の原稿として再読み取りを行って、領域識別処理を行うようにして、領域識別の精度を向上させることができる。
尚、上述した実施形態１および２の歪み領域検出手段４０は、領域識別手段３０で領域識別した結果を用いていたが、領域識別手段３０とは独立に、画像情報記憶手段２０に記憶された画像情報に対して、特開２００２−２４７３４８公報等に記載の方法で、歪み領域の位置や範囲を検出するようにしてもよい。
【００１５】
本発明は、上述した実施形態のみに限定されたものではない。上述した実施形態の画像処理装置を構成する各機能をそれぞれプログラム化し、予めＲＯＭ等の記録媒体に書き込んでおき、画像処理装置にこのＲＯＭを装着して、これらのプログラムをマイクロプロセッサで実行することによって、本発明の目的が達成されることは言うまでもない。
この場合、記録媒体から読み出されて実行された状態が上述した実施形態の機能を実現することになり、そのプログラムおよびそのプログラムを記録した記録媒体も本発明を構成することになる。
なお、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態の記録媒体で提供されてもよい。
あるいは、ネットワーク等を介して記憶装置に格納された画像処理装置の機能を実現するプログラムをサーバコンピュータから直接供給を受けるようにしてもよい。この場合、このサーバコンピュータの記憶装置も本発明の記録媒体に含まれる。
このような記録媒体で提供された場合は、その記録媒体からプログラムを読み取って内部記憶装置または外部記憶装置にインストールし、そのインストールされたプログラムをマイクロプロセッサが実行することによって上述した実施形態の機能が実現される。または、記録媒体に記録されたプログラムを直接実行するようにしてもよい。
【図面の簡単な説明】
【００１６】
【図１】実施形態１に係る画像処理装置の機能構成を示すブロック図。
【図２】歪み領域と文字・図・写真領域等との関係を説明するための図。
【図３】文字の外形矩形を用いた歪み領域検出を説明するための図。
【図４】実施形態１に係る画像処理装置の処理の流れを示すフローチャート。
【図５】実施形態２に係る画像処理装置の機能構成を示すブロック図。
【図６】実施形態２に係る画像処理装置の処理の流れを示すフローチャート。
【図７】コンタクトガラス上にブック原稿を載置したときの原稿の状態を示す図。
【符号の説明】
【００１７】
１０  画像読取手段、２０  画像情報記憶手段、３０  領域識別手段、４０  歪み領域検出手段、５０  歪み補正手段、６０  ステープル検出手段、７０  ステープル除去手段、１００  ブック原稿、１０１  ページ綴じ部、１０２  コンタクトガラス
【図１】
2005167374.tif 000003
【図２】
2005167374.tif 000004
【図３】
2005167374.tif 000005
【図４】
2005167374.tif 000006
【図５】
2005167374.tif 000007
【図６】
2005167374.tif 000008
【図７】
2005167374.tif 000009